(57)【要約】  空気調和システムは、複数のエリアに区画された屋内に設置されており、空気調和が行われる空調エリアに設置された空調装置と、空調エリアとは区画された送風エリアに空調エリアの空気を送風する送風装置と、空調装置及び送風装置の動作を制御する集中制御装置とを備える。集中制御装置は、送風エリアの場所を示す送風エリア情報を記憶したエリアテーブルと、時間毎に複数のエリアの使用予定を記憶した予定データベースと、予定データベースに記憶されたエリアが、エリアテーブルに記憶された送風エリアに一致するか否かに応じて送風装置の動作を制御する機器制御部とを有する。
2015190001.tif 000002
【特許請求の範囲】
【請求項１】
複数のエリアに区画された屋内に設置される空気調和システムであって、
空気調和が行われる空調エリアに設置された空調装置と、
前記空調エリアとは区画された送風エリアに前記空調エリアの空気を送風する送風装置と、
前記空調装置及び前記送風装置の動作を制御する集中制御装置と
を備え、
前記集中制御装置は、
前記送風エリアの場所を示す送風エリア情報を記憶したエリアテーブルと、
時間毎に前記複数のエリアの使用予定を記憶した予定データベースと、
前記予定データベースに記憶されたエリアが、前記エリアテーブルに記憶された前記送風エリアに一致するか否かに応じて前記送風装置の動作を制御する機器制御部と
を備えた空気調和システム。
【請求項２】
前記機器制御部は、前記予定データベースに記憶されたエリアが前記エリアテーブルの前記送風エリアに一致する場合、前記送風エリアが使用される時間に前記送風装置が作動するように制御するものである請求項１に記載の空気調和システム。
【請求項３】
前記エリアテーブルには、前記送風装置の吹出口が設けられているエリア及び前記送風装置の吹出口から空気が供給されるエリアを前記送風エリアとして記憶したものであることを特徴とする請求項１または２に記載の空気調和システム。
【請求項４】
前記機器制御部は、前記空調装置の動作を制御する機能を有する請求項１〜３のいずれか１項に記載の空気調和システム。
【請求項５】
前記機器制御部は、前記送風装置を作動させた際には前記空調装置を作動させるように制御するものである請求項４に記載の空気調和システム。
【請求項６】
前記集中制御装置は、外部機器から使用予定を取得して前記予定データベースに記憶するスケジュール管理部を有するものである請求項１〜５のいずれか１項に記載の空気調和システム。
【請求項７】
前記集中制御装置は、外気温度の情報を取得するものであり、
前記機器制御部は、外気温度に応じて前記送風装置の動作を制御するものである請求項１〜６のいずれか１項に記載の空気調和システム。
【請求項８】
前記集中制御装置は、前記送風エリアの日射情報を取得するものであり、
前記機器制御部は、日射情報に基づいて前記送風装置の動作を制御するものである請求項１〜７のいずれか１項に記載の空気調和システム。
【発明の詳細な説明】
【技術分野】
【０００１】
本発明は、空調装置により空気調和された空気を送風装置により他の空間へ導く空気調和システムに関するものである。
【背景技術】
【０００２】
従来から、複数の部屋が壁によって区画され、そのうちの１つの部屋に空気調和装置が設置されている場合、送風装置を用いて空気調和装置が設置された部屋の調和空気を他の部屋に供給することが提案されている（たとえば特許文献１参照）。特許文献１には、冷暖房器が設置された部屋を間仕切りで該冷暖房器がある室とない室とに区画する場合において、間仕切の下部に両室の連通口を設け、正逆回転可能な送風装置を途中に設けた通気ダクトで両室の天井部に設ける制気口を連結することが開示されている。
【先行技術文献】
【特許文献】
【０００３】
【特許文献１】特公平０３−００６４２７号公報
【発明の概要】
【発明が解決しようとする課題】
【０００４】
特許文献１において、空調機の運転モードに応じて送風装置の風向を制御し、室温と設定温度の差に応じて送風装置の風量を制御している。しかしながら、送風装置の送風エリアに人が不在の状態である場合、送風装置の運転が不要であるにもかかわらず運転を行うことになり、消費電力が増加してしまう。一方、送風エリアが在室である場合に送風装置が作動しないときには送風エリアの快適性を損なう場合がある。【０００５】
本発明は、上記のような問題点を解決するためになされたもので、消費電力を抑制しながら快適性を向上させることができる空気調和システムを提供することを目的とするものである。
【課題を解決するための手段】
【０００６】
本発明の空気調和システムは、複数のエリアに区画された屋内に設置される空気調和システムであって、空気調和が行われる空調エリアに設置された空調装置と、空調エリアとは区画された送風エリアに空調エリアの空気を送風する送風装置と、空調装置及び送風装置の動作を制御する集中制御装置とを備え、集中制御装置は、送風エリアの場所を示す送風エリア情報を記憶したエリアテーブルと、時間毎に複数のエリアの使用予定を記憶した予定データベースと、予定データベースに記憶されたエリアが、エリアテーブルに記憶された送風エリアに一致するか否かに応じて送風装置の動作を制御する機器制御部とを備えたものである。
【発明の効果】
【０００７】
本発明に係る空気調和装置によれば、エリア情報の使用状況が予定データベースに記憶されており、エリアテーブルの送風エリアに一致するか否かに応じて送風装置の動作が制御される。これにより、送風エリアが使用する予定が入っている場合には送風装置を自動的に作動させ、送風エリアの快適性を向上させることができる。また、予定データベースにおいて送風エリアに人が不在の場合には送風装置の作動を停止させ、消費電力の抑制を図ることができる。
【図面の簡単な説明】
【０００８】
【図１】本発明の実施の形態１における空気調和システムが設置された住宅平面図の一例を示す模式図である。
【図２】図１の戸建てのフロアにおいて送風装置及び空調装置が設置された様子を示す模式図である。
【図３】図１及び図２の空気調和システムにおける空調装置の一例を示す冷媒回路図である。
【図４】本発明の実施の形態１における空気調和システムを示すブロック図である。
【図５】図４の空気調和システムにおける集中制御装置の一例を示す機能ブロック図である。
【図６】図４の集中制御装置におけるエリアテーブルの一例を示す図である。
【図７】図４の集中制御装置における予定データベースの一例を示す図である。
【図８】図４の集中制御装置の動作例を示すタイミングチャートである。
【図９】本発明の空気調和システムにおける空調装置の実施の形態２を示す冷媒回路図である。
【図１０】本発明の空気調和システムにおける空調装置の実施の形態２の変形例を示すブロック図である。
【図１１】本発明の空気調和システムにおける空調装置の実施の形態２の変形例を示すブロック図である。
【図１２】本発明の空気調和システムにおける空調装置の実施の形態３を示す冷媒回路図である。
【図１３】本発明の空気調和システムにおける空調装置の実施の形態３を示す模式図である。
【図１４】本発明の空気調和システムにおける空調装置の実施の形態３の変形例を示すブロック図である。
【発明を実施するための形態】
【０００９】
実施の形態１．
以下、本発明の空気調和システムの実施の形態について、図面を用いて詳細に説明する。図１は、本発明の実施の形態１における空気調和システムが設置された住宅平面図の一例を示す模式図である。図１に示すように、空気調和システム１は、複数のエリア（部屋）に区画された屋内に設置されたものであって、空気調和システム１は、上述したように、送風装置２０Ａ、２０Ｂと、空調装置３０と、送風装置２０Ａ、２０Ｂ及び空調装置３０の動作を制御する集中制御装置１００とを有している。
【００１０】
空気調和システム１が設置されている屋内（１Ｆフロア）は、例えばリビング２、キッチン３、寝室４、廊下５、玄関６、トイレ７、洗面所８、浴室９のエリアに区画されている。トイレ７、洗面所８、浴室９には室内空気を戸外に排出する排気装置２４が設置されており、リビング２及び寝室４には家全体の換気のために外気を室内に吸気する給気装置２５が設置されている。したがって、給気装置２５により新鮮な空気が居室に取り込まれ、空気は廊下５を通過して、トイレ７、洗面所８、浴室９へ流れ、排気装置２４により外へ排出される。これにより、トイレ７、洗面所８、浴室９で発生する臭気など汚染空気が居室へ流入することを防止している。
【００１１】
リビング２には、空調装置３０の室内機５０が設置されており、空調装置３０により空気調和される空調エリアＣＲが形成されている。また、リビング２には２つの吸込口２２が設けられており、各吸込口２２にはそれぞれ送風装置２０Ａ、２０Ｂが接続されている。一方、寝室４及び洗面所８にはダクト２１を介して吸込口２２に通じる吹出口２３が設けられており、吸込口２２と吹出口２３との間にそれぞれ送風装置２０Ａ、２０Ｂが設置されている。そして、送風装置２０Ａ、２０Ｂは、空調装置３０により空気調和された空調エリアＣＲ内の空気を他の部屋である寝室４及び洗面所８に送風する。これにより、寝室４及び洗面所８には、送風装置２０Ａ、２０Ｂにより空気調和された空気が送風される送風エリアＢＲが形成される。
【００１２】
図２は、図１の戸建てのフロアに空気調和システムが設置された様子を示す模式図であり、図１及び図２を参照して送風装置について説明する。なお、図２において、リビング２と洗面所８とを結ぶ送風装置２０Ａ、２０Ｂについて例示して説明しているが、リビング２と寝室４とに接続された送風装置２０Ａ、２０Ｂについても同一の構成を有している。送風装置２０Ａ、２０Ｂは、例えばカウンターアローファンからなっており、例えば廊下５の天井裏に設置されている。送風装置２０Ａ、２０Ｂは、ダクト２１を介して空調エリアＣＲの空気を送風エリアＢＲに送風する。
【００１３】
具体的には、空調エリアＣＲであるリビング２側には調和空気を吸い込むための吸込口２２が設けられており、送風エリアＢＲである洗面所８側には調和空気を吹き出すための吹出口２３が設けられている。吸込口２２と吹出口２３とはダクト２１を介して接続されており、ダクト２１に送風装置２０Ａ、２０Ｂが取り付けられている。そして、送風装置２０Ａ、２０Ｂが運転を開始したとき、リビング２の吸込口２２から空調エリアＣＲの空気がダクト２１内に吸い込まれ、送風エリアＢＲである洗面所８の吹出口２３から空調エリアＣＲの空気が吹き出される。
【００１４】
なお、上述した各部屋には扉１０が設けられており、扉１０の下側には隙間もしくは開口部が設けられている。そして、送風装置２０Ａ、２０Ｂの作動により、空調エリアＣＲから送風エリアＢＲへ空気が送られたとき、送風エリアＢＲから扉１０の隙間もしくは開口部を通って空調エリアＣＲへ空気が戻る。したがって、送風エリアＢＲ内の空気は、扉１０の下部の隙間等を通って、洗面所８からリビング２へ戻る。
【００１５】
また、吹出口２３が洗面所８に設けられて送風エリアＢＲになっている場合について例示しているが、送風装置２０Ａ、２０Ｂの吹出口２３は洗面所８に設置される場合に限らず、キッチン３、寝室４、廊下５、トイレ７、浴室９でもよく、吹出口２３が設置されたエリアが送風エリアＢＲになる。また、隙間もしくは開口部は、扉１０の下部に設けられている場合に限らず、空調エリアＣＲと送風エリアＢＲとの間を空気が循環するものであればいずれの場所に設けられていてもよい。
【００１６】
図３は、図１及び図２の空気調和システムにおける空調装置３０の一例を示す冷媒回路図であり、図１から図３を参照して空調装置３０について説明する。図３の空調装置３０は、例えば蒸気圧縮式のヒートポンプ式の空気調和装置であって、室外機４０及び室内機５０を備えている。空調装置３０は、室内機５０から調和空気として、冷風を吹き出すことで冷房を行い、温風を吹き出すことで暖房を行う。室外機４０は、図１及び図２に示すように、例えば１階フロアの屋外に設置されており、室内機５０は、例えば１階フロアのリビング２の壁に設置されている。そして、空調装置３０はリビング２の空気調和を行い、リビング２の空間が空調エリアＣＲになる。
【００１７】
図３の室外機４０は、圧縮機４１、流路切替器４２、室外熱交換器４３、膨張弁４４、室外送風装置４５を備え、室内機５０は、室内熱交換器５１及び室内送風装置５２を備えている。室外機４０と室内機５０とは冷媒配管により接続されており、圧縮機４１、流路切替器４２、室外熱交換器４３、膨張弁４４及び室内熱交換器５１が環状に冷媒配管により接続され冷媒回路を形成している。そして、冷媒回路の冷媒が圧縮と膨張を繰り返しながら循環することでヒートポンプが形成される。
【００１８】
圧縮機４１は、低温低圧の冷媒を圧縮し高温高圧の冷媒にするものであり、例えば、インバータで駆動され、空調状況に応じて運転容量が制御される。流路切替器４２は、例えば四方弁からなり、圧縮機４１の吐出側に接続され、冷房運転又は暖房運転に応じて冷媒の流れを切り替えるものである。室外熱交換器４３は、例えばフィンチューブ熱交換器からなり、冷媒回路を流れる冷媒と室外空気との間で熱交換を行う。また、室外熱交換器４３には、室外送風装置４５による送風が行われるようになっている。膨張弁４４は、室外熱交換器４３と室内熱交換器５１との間に接続され、開度を調整する弁で構成されている。膨張弁４４は、開度が調整されることにより、冷媒を減圧して膨張させる。
【００１９】
室内熱交換器５１は、冷媒回路を流れる冷媒と空調エリアＣＲの室内空気との間で熱交換を行うものである。室内送風装置５２は、室内熱交換器５１に送風を行うものであり、空調エリアＣＲの室内空気を室内熱交換器５１に供給する。すると、室内機５０から空調エリアＣＲへ室内機５０内の空気を吹き出させる。空調装置３０は、室内熱交換器５１で熱交換された空気を調和空気として空調エリアＣＲに供給し、空調エリアＣＲの冷暖房を行う。
【００２０】
次に、図３を参照して冷房運転時の空調装置３０の動作例について説明する。まず、圧縮機４１から吐出された冷媒は、流路切替器４２を通過して室外熱交換器４３に流れる。室外熱交換器４３に流れた冷媒は、室外空間から吸い込まれた室外空気と熱交換して凝縮液化し、膨張弁４４に流れる。膨張弁４４に流れた冷媒は、膨張弁４４で減圧され、室内熱交換器５１に流れ、空調エリアＣＲから吸い込まれた室内空気と熱交換して蒸発ガス化する。その後、冷媒は流路切替器４２を通過して圧縮機４１に再び吸入される。このようにして冷媒が流れることで、空調エリアＣＲから吸い込まれた室内空気が室内熱交換器５１で冷却される。室内熱交換器５１における冷媒と室内空気との熱交換量は、冷却能力と呼ばれる。冷却能力は、圧縮機４１の回転数を変えることで調整される。
【００２１】
次に、図３を参照して暖房運転時の空調装置３０の動作例について説明する。まず、圧縮機４１から吐出された冷媒は、流路切替器４２を通過して室内熱交換器５１に流れる。室内熱交換器５１に流れた冷媒は、空調エリアＣＲから吸い込まれた室内空気と熱交換して凝縮液化し、膨張弁４４に流れる。膨張弁４４に流れた冷媒は、膨張弁４４で減圧され、室外熱交換器４３に流れる。室外熱交換器４３に流れた冷媒は、室外空間から吸い込まれた室外空気と熱交換して蒸発ガス化し、流路切替器４２を通過して圧縮機４１に再び吸入される。このようにして冷媒が流れることで、空調エリアＣＲから吸い込まれた室内空気が室内熱交換器５１で加熱される。室内熱交換器５１における冷媒と室内空気との熱交換量は加熱能力と呼ばれる。加熱能力は、圧縮機４１の回転数を変えることで調整される。
【００２２】
なお、空調装置３０が１台の場合について例示しているが、台数については限定されず、複数台の空調装置３０を管理するものであってもよい。また、空調装置３０が、１台の室外機４０と１台の室内機５０とを有する場合について例示しているが、空調装置３０の構成は特に限定されず、例えば、１台の室外機４０と複数台の室内機５０とを備えたものであってもよい。また、１台の室外機４０と、中継機（図示せず）と、逆止弁（図示せず）と、複数台の室内機５０とで構成され、冷暖房同時運転を行う空調装置３０であってもよい。さらに、室外機４０と室内機５０との配置箇所については特に限定されず、例えば、室外機４０が図示しない建物の屋上に配設され、室内機５０が天井裏に配設されてもよい。要するに、冷媒回路を構成する空調装置３０であればよく、その詳細構成等については、特に限定されるものではない。
【００２３】
上述した室外機４０及び室内機５０は、それぞれ室外制御装置１５１及び室内制御装置１５３により制御されている。室外制御装置１５１及び室内制御装置１５３は、例えば、マイクロコンピュータ等で構成されており、空調装置３０に搭載される各種センサから供給される検知情報及び運転情報と空調装置３０の使用者で設定された設定情報とに基づいて空調装置３０の運転を制御する。室外制御装置１５１は、例えば圧縮機４１の駆動周波数の制御、流路切替器４２の切り替え、室外送風装置４５の回転数の制御、膨張弁４４の開度の制御等の室外機４０に含まれる構成の制御を行う。また、室内制御装置１５３は、例えば室内送風装置５２の回転数の制御を行う。
【００２４】
室内機５０は、室内空間の温度を検知する室内温度センサ７０を備えている。室内温度センサ７０は、室内機５０に吸い込まれた空調エリアＣＲの室内空気の温度を計測し、計測結果を室内制御装置１５３に送る。室内制御装置１５３は、室内温度センサ７０により検知された室内温度を室外制御装置１５１に供給する。そして、室外制御装置１５１及び室内制御装置１５３は、室内温度センサ７０により検知された室内温度が所定の目標温度になるように、圧縮機４１等の動作を制御する。
【００２５】
なお、空調装置３０にはその他の図示しない各種センサも搭載されていてもよい。例えば、圧縮機４１の吐出側には圧縮機４１から吐出された冷媒の圧力を計測する吐出側圧力センサが設けられ、圧縮機４１の吸入側には圧縮機４１に吸入された冷媒の圧力を計測する吸入側圧力センサが設けられている。さらに、圧縮機４１の吐出側には圧縮機４１から吐出された冷媒の温度を計測する吐出側温度センサが設けられる。圧縮機４１の吸入側には圧縮機４１に吸入された冷媒の温度を計測する吸入側温度センサが設けられる。また、室外制御装置１５１が、室内送風装置５２の回転数の制御を行ってもよく、室内制御装置１５３が、圧縮機４１の駆動周波数の制御を行い、流路切替器４２の切り換え制御を行い、室外送風装置４５の回転数の制御を行い、膨張弁４４の開度の制御を行ってもよい。
【００２６】
また、空調エリアＣＲには、室内制御装置１５３と各種信号を送受信するリモートコントローラー６０が設けられている。そして、空調装置３０の使用者が、例えば、リモートコントローラー６０を操作することで、空調装置３０に動作指令が与えられる。なお、動作指令には、運転／停止、運転モード（冷房／暖房／除湿／加湿／保湿／空気清浄／送風など）、設定温度、設定湿度、設定風量、設定風向、タイマーなどの情報がある。また、各種設定の入力は、リモートコントローラー６０に限定されず、例えば室外制御装置１５１又は室内制御装置１５３であってもよい。
【００２７】
図４は図１の空気調和システムの一例を示すブロック図である。図３において、空気調和システム１は、上述したように、送風装置２０Ａ、２０Ｂと、空調装置３０と、送風装置２０Ａ、２０Ｂ及び空調装置３０の動作を制御する集中制御装置１００とを有している。集中制御装置１００は、空調通信装置２０３、送風制御装置２０４Ａ、２０４Ｂ、排気制御装置２０５に接続されており、これらを介して送風装置２０Ａ、２０Ｂ、空調装置３０、排気装置２４の動作を制御する機能を有している。
【００２８】
具体的には、空調通信装置２０３は空調装置３０の室内機５０に接続されており、集中制御装置１００は、空調通信装置２０３に対し、運転と停止、運転モード、設定温度、設定風量、設定風向などの指令を送り、空調通信装置２０３は、送信された指令を室内制御装置１５３へ伝送する。一方、空調通信装置２０３から集中制御装置１００へは空調装置３０の運転状態が送られる。さらに、空調通信装置２０３は、空調装置３０に設けられた上述したような各種センサ検知されたセンサ情報が集中制御装置１００へ送信するようにしてもよい。このセンサ情報としては、室内温度、室内湿度、室内風速、室内空気圧力、外気温度、外気湿度、外気風速、外気圧力、ヒートポンプの冷媒温度（配管温度）、冷媒圧力、壁温度、照度、日射、在室情報、画像情報、ＣＯ２濃度、ＶＯＣ濃度、粉塵濃度、臭気濃度などがある。
【００２９】
送風制御装置２０４Ａは送風装置２０Ａの動作を制御するものであり、送風制御装置２０４Ｂは送風装置２０Ｂの動作を制御するものである。また、排気制御装置２０５は排気装置２４の動作を制御するものである。集中制御装置１００は、送風制御装置２０４Ａ、２０４Ｂ及び排気制御装置２０５に対し、運転と停止、設定風量、設定風向などの指令を送信し、送風制御装置２０４Ａ、２０４Ｂ及び排気制御装置２０５は集中制御装置１００へ送風装置２０Ａ、２０Ｂの運転状態を送信する。なお、各送風装置２０Ａ、２０Ｂに各種センサが設けられている場合、送風制御装置２０４Ａ、２０４Ｂは、各種センサにより検知されたセンサ情報を集中制御装置１００へ送信するようにしてもよい。このセンサ情報としては、例えば室内温度、室内湿度、室内風速、室内空気圧力、外気温度、外気湿度、外気風速、外気圧力、壁温度、照度、在室情報、画像情報、ＣＯ２濃度、ＶＯＣ濃度、粉塵濃度、臭気濃度などがある。
【００３０】
なお、上述した集中制御装置１００と空調通信装置２０３、送風制御装置２０４Ａ、２０４Ｂ及び排気制御装置２０５との接続は有線でも無線でもよく、制御指令や機器情報などが相互に伝達すればよい。また、各種設定は省略してもよく、その場合は既存の設定を用いることで入力を簡略化でき、使用者の利便性が向上する。既存の設定とは、リモートコントローラー６０、室外制御装置１５１、室内制御装置１５３、集中制御装置１００、操作表示端末２００又は空調通信装置２０３のいずれかに記憶された運転モード、設定温度、設定湿度、設定風量、設定風向、タイマーなどである。
【００３１】
さらに、集中制御装置１００は、使用者が使用する携帯電話もしくはタブレット端末等の操作表示端末２００にネットワークを介してデータ伝送可能に接続されている。そして、使用者は操作表示端末２００を操作することにより、集中制御装置１００を介して送風装置２０Ａ、２０Ｂ、排気装置２４及び空調装置３０の制御をそれぞれ行うことができるようになっている。
【００３２】
図５は図４の集中制御装置の一例を示す機能ブロック図であり、図４を参照して集中制御装置１００について説明する。図４の集中制御装置１００は、スケジュール管理部１０１、エリアテーブル１０２、予定データベース１０３、機器制御部１０４、機器制御部１０４を有している。スケジュール管理部１０１は、外部から送風装置２０Ａ、２０Ｂ及び空調装置３０が設置された間取り（フロア）に関する情報をエリア情報として取得するものである。
【００３３】
具体的には、スケジュール管理部１０１は、使用者が操作表示端末２００を用いて住宅の間取りを初期入力した情報をエリア情報として取得する。例えば使用者は間取り情報としてリビング２、キッチン３、寝室４、廊下５、玄関６、トイレ７、洗面所８、浴室９というエリア情報を操作表示端末２００に入力するとともに、入力した間取りの中から送風装置２０Ａ、２０Ｂの吸込口２２と吹出口２３の場所を選択することにより入力する。そして、スケジュール管理部１０１は、操作表示端末２００に入力された間取り情報をエリア情報として取得し、エリアテーブル１０２に記憶する。
【００３４】
図６は、図４の集中制御装置におけるエリアテーブルの一例を示す図である。図６に示すように、エリアテーブル１０２には、スケジュール管理部１０１において取得されたエリア情報（間取り情報）として送風装置２０Ａ、２０Ｂの吸込口２２と吹出口２３の場所の情報が記憶されている。なお、エリアテーブル１０２に入力されるエリア情報として、それぞれのエリア情報に階数や東西南北の方角が付加されて記憶されてもよい。例えば、送風装置２０Ａ、２０Ｂの吸込口２２はリビング２（南東）、吹出口２３は洗面所８（北）、送風装置２０Ａ、２０Ｂの吸込口２２はリビング２（南東）、吹出口２３は寝室４（南西）というエリア情報が逐次記憶されることになる。
【００３５】
なお、エリアテーブル１０２には、送風装置２０Ａ、２０Ｂの吹出口２３が設けられているエリアが記憶されている場合について例示しているが、送風装置２０Ａ、２０Ｂの吹出口２３から空気が供給されるエリア（例えば浴室９）も送風エリアＢＲとして記憶していてもよい。この場合、浴室９に送風を行いたい場合にも送風装置２０Ａ、２０Ｂを作動させて送風を行うことができるようになる。また、エリアテーブル１０２には、送風装置２０Ａ、２０Ｂのエリア情報が記憶されている場合について例示しているが、集中制御装置１００に接続されている他の機器のエリア情報が記憶されていてもよく、例えば空調装置３０又は排気装置２４のエリア情報を記憶されていてもよい。
【００３６】
図４のスケジュール管理部１０１は、時間毎の各エリアの在席もしくは不在の使用予定を示すスケジュール情報を取得し、取得したスケジュール情報を予定データベース１０３に記憶する機能を有している。このとき、スケジュール管理部１０１は、例えば操作表示端末２００から使用するエリアのスケジュール情報を取得する。具体的には、操作表示端末２００は、各エリア（各部屋）のスケジュール情報を集中制御装置１００に転送する機能を有している。スケジュール管理部１０１は、操作表示端末２００から転送されたスケジュール情報を予定データベース１０３に記憶する。なお、スケジュール管理部１０１は操作表示端末２００からスケジュール情報を取得する場合について例示しているが、集中制御装置１００へ直接入力されたスケジュール情報を取得するものであってもよいし、他の機器からスケジュール情報を取得するようにしてもよい。
【００３７】
図７は、図４の集中制御装置における予定データベースの一例を示す図である。図７の予定データベース１０３には、使用者が在室して使用予定のある時刻と、在室になるエリア情報（部屋情報）とが対応づけて記憶されている。一方、人が不在であり使用予定がない場合、予定データベース１０３にエリア情報が記憶されていない。図７において、時刻として起床、外出、帰宅、就寝の４つに分類されている場合について例示しているが、これに限らず、時間毎に在室になるエリア情報が対応づけて記憶されていればよい。また、予定データベース１０３には不在情報が記憶されていない場合について例示しているが、不在情報も予定データベース１０３として記憶するようにしてもよい。
【００３８】
さらに、スケジュール管理部１０１は、他の機器の稼働状況に応じてスケジュール情報を予定データベース１０３に追加する機能を有していてもよい。すなわち、集中制御装置１００が、上述した送風装置２０Ａ、２０Ｂ，２０Ｂ及び空調装置３０の他に、浴室９の給湯装置、キッチン３のクッキングヒータもしくは冷蔵庫の電力管理を行うＨＥＭＳ（ＨＯＭＥ  ＥＮＥＲＧＹ  ＭＡＮＡＧＥＭＥＮＴ  ＳＹＳＴＥＭ）の情報収集ユニットである場合、給湯装置もしくはクッキングヒータ等の稼働状況も集中制御装置１００に転送される。そこで、スケジュール管理部１０１は、予め各機器と、各機器のエリア情報（設置場所）とを対応づけて記憶しておき、例えば給湯装置の稼働時に浴室９の使用開始時から使用終了時までを使用予定として予定データベース１０３に自動的に記憶する機能を有していてもよい。これにより、機器の使用に連動して送風装置２０Ａ、２０Ｂ及び空調装置３０の動作を制御することができる。
【００３９】
図５の機器制御部１０４は、エリアテーブル１０２と予定データベース１０３に基づいて、送風装置２０Ａ、２０Ｂ、排気装置２４、空調装置３０の動作を制御するものであって、空調制御部１０５、送風制御部１０６Ａ、１０６Ｂを有している。そして、機器制御部１０４は、予定データベース１０３に記憶されたスケジュール情報に基づいて、各機器の動作を制御するようになっている。
【００４０】
特に、送風制御部１０６Ｂは、予定データベース１０３に記憶されたエリアが、エリアテーブル１０２に記憶された送風エリアＢＲに一致するか否かに応じて送風装置２０Ａ、２０Ｂの動作を制御する機能を有している。具体的には、送風制御部１０６Ａ、１０６Ｂは、予定データベース１０３のスケジュールを実行する際に、予定データベース１０３に記憶されたエリア情報とエリアテーブル１０２に記憶された送風エリアＢＲとが一致する場合、送風装置２０Ａ、２０Ｂが作動するように制御する。
【００４１】
さらに、機器制御部１０４は、送風装置２０Ａ、２０Ｂを作動させる際には空調装置３０を作動させるように制御する機能を有している。例えば操作表示端末２００において、送風装置２０Ａ、２０Ｂと空調装置３０との連携制御の実行／解除の設定ができるようになっており、操作表示端末２００から集中制御装置１００の機器制御部１０４へ連携に関する情報が送られて記憶される。そして、送風装置２０Ａ、２０Ｂと空調装置３０との連携を行う旨の設定がなされている場合、機器制御部１０４は、送風装置２０Ａ、２０Ｂを作動させる際には空調装置３０を作動させ、空調エリアＣＲの空調装置３０により生成された調和空気が送風エリアＢＲに供給されるようになっている。なお、送風装置２０Ａ、２０Ｂと空調装置３０との連携を行う場合について例示しているが、複数の空調装置３０が設置されている場合には、複数の空調装置３０と複数の送風装置２０Ａ、２０Ｂの中から連携する機器の選択などを行うようにしてもよい。
【００４２】
図８は、集中制御装置１００の動作例を示すタイミングチャートであり、図１から図８を参照して集中制御装置１００の動作例について説明する。なお、図８のタイミングチャートにおいて、使用者が操作表示端末２００等を用いて図７に示すような就寝時刻、起床時刻、外出時刻、帰宅時刻などの時間毎のスケジュール情報が予定データベース１０３に記憶されているものとする。
【００４３】
まず、起床時刻の所定時間前になったとき、空調装置３０と洗面所８側の送風装置２０Ａ、２０Ｂと寝室４側の送風装置２０Ａ、２０Ｂとの運転が開始し、人が在室して使用している寝室４の空調を行うとともに、起床後に在室になるリビング２及び洗面所８の空調を事前に行うために空調装置３０及び送風装置２０Ａ、２０Ｂが作動する。また、起床時刻になったとき、寝室４には人が不在になるため、寝室４側の送風装置２０Ａ、２０Ｂが停止する。一方、リビング２及び洗面所８は在室になるため、洗面所８側の送風装置２０Ａ、２０Ｂ及び空調装置３０の運転が継続される。
【００４４】
次に、外出時刻になったとき、リビング２及び洗面所８は人が不在になるため、空調装置３０と洗面所８側の送風装置２０Ａ、２０Ｂが停止する。そして、帰宅時刻の所定時間前になったとき、あるいはタブレット端末もしくはスマートフォンなどの操作表示端末２００から遠隔で室内機５０の運転指令があったとき、空調装置３０の運転が開始される。帰宅後において、リビング２及びキッチン３が在室になっているとき、空調装置３０の運転が継続する。また、浴室９の給湯装置に浴槽への湯はり運転が指令されたら、浴室９に通じる洗面所８側の送風装置２０Ａ、２０Ｂの運転が開始し、所定時間が経過したときに送風装置２０Ａ、２０Ｂを停止する。就寝時刻前になったとき、寝室４側の送風装置２０Ａ、２０Ｂを運転して予め寝室４を空気調和しておく。その後、就寝時刻になったとき、送風装置２０Ａ、２０Ｂ及び空調装置３０の運転が停止される。
【００４５】
上記実施の形態１によれば、集中制御装置１００が送風装置２０Ａ、２０Ｂのエリア情報をエリアテーブル１０２として記憶することにより、予定データベース１０３に記憶されたスケジュール情報のエリア（部屋）の使用状況に応じて送風装置２０Ａ、２０Ｂの駆動タイミングを自動化に制御することができる。例えば、送風装置２０Ａ、２０Ｂは洗面所８に吹出口２３を持つことから、起床後の支度時間や入浴前後のタイミングに、洗面所８を快適な温度に保つよう運転させればよいと判断できる。送風装置２０Ａ、２０Ｂは寝室４に吹出口２３を持つことから、起床前や就寝前に寝室４を快適な温度に保つよう運転すればよいとわかる。このように、使用するエリアについて前後に送風装置２０Ａ、２０Ｂを自動的に運転させることができ、消費電力量を抑制しながら快適性を向上できる。また、使用者は送風装置２０Ａ、２０Ｂを手元スイッチの操作を行う必要が無く、使い勝手を向上させることができる。
【００４６】
実施の形態２．
図９は本発明の空気調和システムにおける空調装置の実施の形態２を示す冷媒回路図であり、図９を参照して空気調和システム３００について説明する。なお、図９の空気調和システム３００において、図３の空気調和システム１と同一の構成を有する部位には同一の符号を付してその説明を省略する。図９の空気調和システム３００が図３の空気調和システム１と異なる点は、送風装置２０Ａ、２０Ｂの制御に外気温度が用いられる点である。
【００４７】
すなわち、送風エリアＢＲの温度及び熱負荷は外気温度に依存する。そこで、図９の室外機４０に外気温度センサ３３１が設けられており、外気温度センサ３３１により検知された外気温度が、空調装置３０から集中制御装置１００に送信される。そして、集中制御装置１００の機器制御部１０４は、外気温度に応じて送風装置２０Ａ、２０Ｂの運転可否を判定し、もしくは外気温度に応じて運転風量を変更する。例えば空調装置３０が暖房モードの際、外気温度が基準温度以下になったら送風装置２０Ａ、２０Ｂを運転するように制御する。または、外気温度の低下に伴って送風装置２０Ａ、２０Ｂの風量を増加するように制御してもよい。なお、外気温度センサ３３１は室外機４０に限らず、給気装置２５側や排気装置２４側に設けられてもよい。
【００４８】
図１０は、本発明の空気調和システムにおける空調装置の実施の形態２の変形例を示す冷媒回路図である。図１０のように、外気温度センサ３３１がセンサ装置として単体で設置されており、集中制御装置１００に直接外気温度を送信してもよい。図１１は、本発明の空気調和システムにおける空調装置の実施の形態２の変形例を示す冷媒回路図である。図１０のように、集中制御装置１００をネットワーク（インターネット）３０１に接続し、ネットワーク３０１から外気温度を取得してもよい。外気温度は時刻別の気温に限らず、最高気温、最低気温、平均気温を制御に用いてもよい。
【００４９】
上記実施の形態２によれば、送風エリアＢＲの温度及び熱負荷は外気温度に依存することを考慮し、外気温度に応じて送風装置２０Ａ、２０Ｂの運転可否を判定し、外気温度に応じて運転風量を変更することにより、送風エリアＢＲに温度センサがなくても、送風エリアＢＲの温度を快適に制御することができ、空調装置３０の余分な消費電力量を削減できる。さらに、実施の形態２においても、実施の形態１と同様、集中制御装置１００が送風装置２０Ａ、２０Ｂの吸込口２２及び吹出口２３に関するエリア情報をエリアテーブル１０２として記憶することにより、予定データベース１０３に記憶されたスケジュール情報のエリア（部屋）の使用状況に応じて送風装置２０Ａ、２０Ｂの駆動タイミングを自動化に制御することができる。
【００５０】
実施の形態３．
図１２は本発明の空気調和システムにおける空調装置の実施の形態３を示す冷媒回路図、図１３は本発明の空気調和システムの実施の形態３を示す模式図であり、図１２及び図１３を参照して空気調和システム４００について説明する。なお、図１２及び図１３の空気調和システム４００において、図３の空調装置３０と同一の構成を有する部位には同一の符号を付してその説明を省略する。図１２の空気調和システム４００が図３の空調装置３０と異なる点は、日射情報に基づいて送風装置２０Ａ、２０Ｂを制御する点である。
【００５１】
図１２及び図１３において、室内に日射検知センサ４３１は日射のあたる表面温度を検知する日射検知センサ４３１が設けられており、日射検知センサ４３１は、空調装置３０を介して集中制御装置１００に表面温度を送信するようになっている。そして、集中制御装置１００は、日射検知センサ４３１において検知された日射情報を取得し、取得した日射情報に応じて送風装置２０Ａ、２０Ｂの運転可否を判定し、もしくは外気温度に応じて運転風量を変更する。例えば、暖房モードのときは表面温度が基準温度以上になったら送風装置２０Ａ、２０Ｂを運転し、表面温度が低下し始めたら送風装置２０Ａ、２０Ｂの風量を減少する。さらに、送風装置２０Ａ、２０Ｂに方角の情報が付加されている場合、南から北へ送風可能な送風装置２０Ａ、２０Ｂを選択して運転してもよい。
【００５２】
なお、日射情報が日射検知センサ４３１を用いて検知される場合について例示しているが、日射検知センサ４３１が赤外線センサからなる場合について例示しているが、日射センサ、照度センサ、画像センサ等の公知のセンサを用いることで、日射の有無や日射量を検知するようにしてもよい。また、日射検知センサ４３１は室内機５０に接続されている場合について例示しているが、これに限らず、給気装置２５、排気装置２４、送風装置２０Ａ、２０Ｂに設けられてもよい。
【００５３】
さらに、図１４は、本発明の空気調和システムにおける空調装置の実施の形態３の変形例を示すブロック図である。図１４のように日射検知センサ４３１が単体で設置されており、集中制御装置１００に直接センサ情報を送信してもよい。あるいは、実施の形態２と同様（図１２参照）、集中制御装置１００がネットワーク３０１に接続されており、ネットワーク３０１を介して日射量、あるいは天気（晴れ、曇り、雨）等の日射情報を取得してもよい。
【００５４】
上記実施の形態３によれば、冬季、日射で南側のリビング２が暖まれば、その暖気を北側の廊下５や洗面所８などに送ることができ、送風エリアＢＲの快適性を向上させることができる。使用者が帰宅して送風エリアＢＲを温める場合、送風エリアＢＲの室温があらかじめ上昇しているため、空調装置３０の消費電力量は削減できる。さらに、実施の形態３においても、実施の形態１と同様、集中制御装置１００が送風装置２０Ａ、２０Ｂの吸込口２２及び吹出口２３に関するエリア情報をエリアテーブル１０２として記憶することにより、予定データベース１０３に記憶されたスケジュール情報のエリア（部屋）の使用状況に応じて送風装置２０Ａ、２０Ｂの駆動タイミングを自動化に制御することができる。
【符号の説明】
【００５５】
１、３００、４００  空気調和システム、２  リビング、３  キッチン、４  寝室、５  廊下、６  玄関、７  トイレ、８  洗面所、９  浴室、１０  扉、２０Ａ、２０Ｂ  送風装置、２１  ダクト、２２  吸込口、２３  吹出口、２４  排気装置、２５  給気装置、３０  空調装置、４０  室外機、４１  圧縮機、４２  流路切替器、４３  室外熱交換器、４４  膨張弁、４５  室外送風装置、５０  室内機、５１  室内熱交換器、５２  室内送風装置、６０  リモートコントローラー、７０  室内温度センサ、１００  集中制御装置、１０１  スケジュール管理部、１０２  エリアテーブル、１０３  予定データベース、１０４  機器制御部、１０６Ａ  送風制御部、１０６Ｂ  送風制御部、１０６  排気制御部、１０７  空調制御部、１５１  室外制御装置、１５３  室内制御装置、２００  操作表示端末、２０３  空調通信装置、２０４  送風制御装置、２０４Ａ  送風制御装置、２０４Ｂ  送風制御装置、２０５  排気制御装置、３０１  ネットワーク、３３１  外気温度センサ、４３１  日射検知センサ、ＢＲ  送風エリア、ＣＲ  空調エリア。
【図１】
2015190001.tif 000003
【図２】
2015190001.tif 000004
【図３】
2015190001.tif 000005
【図４】
2015190001.tif 000006
【図５】
2015190001.tif 000007
【図６】
2015190001.tif 000008
【図７】
2015190001.tif 000009
【図８】
2015190001.tif 000010
【図９】
2015190001.tif 000011
【図１０】
2015190001.tif 000012
【図１１】
2015190001.tif 000013
【図１２】
2015190001.tif 000014
【図１３】
2015190001.tif 000015
【図１４】
2015190001.tif 000016
【手続補正書】
【提出日】平成28年6月20日(2016.6.20)
【手続補正１】
【補正対象書類名】明細書
【補正対象項目名】０００６
【補正方法】変更
【補正の内容】
【０００６】
本発明の空気調和システムは、複数のエリアに区画された住宅内に設置される空気調和システムであって、空気調和が行われる空調エリアに設置された空調装置と、空調エリアとは区画された送風エリアに空調エリアの空気を送風する送風装置と、空調装置及び送風装置の動作を制御する集中制御装置とを備え、集中制御装置は、送風エリアの場所を示す送風エリア情報を記憶したエリアテーブルと、時間毎に複数のエリアの使用予定を記憶した予定データベースと、予定データベースに記憶されたエリアが、エリアテーブルに記憶された送風エリアに一致するか否かに応じて送風装置の動作を制御する機器制御部とを備え、機器制御部は、送風装置を作動させると空調装置を作動させるように制御するものである。
【手続補正２】
【補正対象書類名】特許請求の範囲
【補正対象項目名】全文
【補正方法】変更
【補正の内容】
【特許請求の範囲】
【請求項１】
複数のエリアに区画された住宅内に設置される空気調和システムであって、
空気調和が行われる空調エリアに設置された空調装置と、
前記空調エリアとは区画された送風エリアに前記空調エリアの空気を送風する送風装置と、
前記空調装置及び前記送風装置の動作を制御する集中制御装置と
を備え、
前記集中制御装置は、
前記送風エリアの場所を示す送風エリア情報を記憶したエリアテーブルと、
時間毎に前記複数のエリアの使用予定を記憶した予定データベースと、
前記予定データベースに記憶されたエリアが、前記エリアテーブルに記憶された前記送風エリアに一致するか否かに応じて前記送風装置の動作を制御する機器制御部とを備え、
前記機器制御部は、前記送風装置を作動させると前記空調装置を作動させるように制御するものである空気調和システム。
【請求項２】
前記エリアテーブルには、前記送風エリアの方角の情報が前記送風エリア情報に付加されて記憶されており、
前記機器制御部は、前記送風エリアの方角の情報に基づいて前記送風装置の運転を制御するものである請求項１に記載の空気調和システム。
【請求項３】
前記機器制御部は、前記予定データベースに記憶されたエリアが前記エリアテーブルの前記送風エリアに一致する場合、前記送風エリアが使用される時間に前記送風装置が作動するように制御するものである請求項１又は２に記載の空気調和システム。
【請求項４】
前記エリアテーブルには、前記送風装置の吹出口が設けられているエリア及び前記送風装置の吹出口から空気が供給されるエリアを前記送風エリアとして記憶したものであることを特徴とする請求項１〜３のいずれか一項に記載の空気調和システム。
【請求項５】
前記機器制御部は、前記空調装置の動作を制御する機能を有する請求項１〜４のいずれか１項に記載の空気調和システム。
【請求項６】
前記集中制御装置は、外部機器から使用予定を取得して前記予定データベースに記憶するスケジュール管理部を有するものである請求項１〜５のいずれか１項に記載の空気調和システム。
【請求項７】
前記集中制御装置は、外気温度の情報を取得するものであり、
前記機器制御部は、外気温度に応じて前記送風装置の動作を制御するものである請求項１〜６のいずれか１項に記載の空気調和システム。
【請求項８】
前記集中制御装置は、前記送風エリアの日射情報を取得するものであり、
前記機器制御部は、前記日射情報に基づいて前記送風装置の動作を制御するものである請求項１〜７のいずれか１項に記載の空気調和システム。
【国際調査報告】
2015190001.tif 000017
2015190001.tif 000018
2015190001.tif 000019
2015190001.tif 000020